(57)【要約】      （修正有）【課題】ジムボールを保管するケースにウェイトを備え、転がらないよう安全で便利に保管できるケースを提供する。【解決手段】ジムボールケースは、ケースを構成するボディー１００にウェイト１１０が脱着できるように構成した。【選択図】図３
2020062461.tif 000002
【特許請求の範囲】
【請求項１】
ジムボール(B)が収容できるボディー(100)を含め、
上記ボディー(100)には、
ジムボール(B)が転がらないようにするウェイト(110)と、
上記ボディー(100)にジムボール(B)が出し入れできる開口手段(120)及び、上記ボディー(100)を安定的に取りあげることや掛けることができるように、上記ボディー(100)の中央部と頂部の間に備えられた取っ手(130)とを含み、
上記ウェイト(110)は、上記ボディー(100)にジッパー、ベルクロ（登録商標）、或はスナップボタンを用いて脱着できるように構成し、
上記ウェイト(110)には、上記ボディーの外部へ露出されるように、少なくとも２個の運搬用通し輪(113)が予め決められた間隔で設けられたことを特徴とする
ジムボールケース。
【請求項２】
上記開口手段(120)は、ジッパー、ベルクロ（登録商標）、或はスナップボタンであることを特徴とする
請求項１に記載のジムボールケース。
【発明の詳細な説明】
【技術分野】
【０００１】
本発明はジムボールケースに関して、さらに詳しくはケースにウェイトを構成してその中にジムボールを入れた際に、ジムボールが転がったり任意に動かないようにして、容易に保管して便利に使用できるようにしたものである。
【背景技術】
【０００２】
ジムボール(GYM BALL)は、空気で満たされているボールの弾性を利用して、体のバランスを取りながらストレッチングやヨガの用途などで使う運動器具の１つで、ボールが転からないようにしながら体のバランスと重心を取る必要があるので運動量が多く、筋力をつけることに役に立つものである。  
このようなジムボールは、運動方法が簡単だけではなく姿勢矯正にも役にたつので、筋力運動と柔軟性を養うことにも効果がある。  
以下の特許文献１乃至４には、このようなジムボールと、ジムボールを容易に保管して使用できるようにする技術が開示されている。
【先行技術文献】
【特許文献】
【０００３】
【特許文献１】韓国登録実用第０４６９１５９号
【０００４】
一般のジムボールは球形状になっているので、その上に座ったり寝たりするなどの動作が素人には簡単ではないことであるので、別途の専門的な講義を通じてのみジムボールを使用するしかないという問題がある。  
特に、女性や老若者など筋力の弱い人達には、一人で自由に既存のジムボールを扱うというのが大変である。  
即ち、従来のジムボールは球形状になっているので、適切な力や姿勢でジムボールを制御しないと、ジムボールが底で制御できないように滑ってしまって、運動者の負傷をもたらす原因になるという問題もある。  
このような問題点を解決するために、半球形状の上部ジムボール部と半球形状の下部ジムボール部を、突出部を持つオーリング形状の連結部で連結し、下部ジムボール部は空気の流出入によってその形状が半球形状や平坦形状に変わることができるようにしたものである。
【０００５】
（特許文献２）  韓国公開特許第１０−２０１４−００２０１７３号
小児やお年寄りのように重心を取りにくい集団の使用者が運動する際に、滑ったり転んだりして怪我をすることを防ぐために製造したもので、その使用者が運動を自由にして健康を増進させることができるようにしたジムボールである。
【０００６】
（特許文献３）  韓国公開特許第１０−２０１４−００６０１４３号
楽に座って休めるロッキングチェアに関して、特にロッキングチェアの機能だけではなくジムボールの機能も備えており、必要時においてはジムボール運動を行うことができるように構成したものである。  
前記の目的を達成するために、本発明によるロッキングチェアは、着席者の背やお尻及び内股を支えられるように湾曲した支持フレームと、地面に接する部位は前後で揺れるように湾曲した受けフレームと、支持フレームが結合するように受けフレームに装着された結束具と、支持フレームの上面と底面に各々形成されて結束具に挿入される突起とを含めて、支持フレームの底面に形成された突起を結束具に結合して支持フレームが下向に凹に位置させることと、支持フレームの上面に形成された突起を結束具に結合して支持フレームが上向に凸に位置させることを技術的特徴としたものである。
【０００７】
（特許文献４）  韓国登録実用第０４７４２６３号
ジムボールハンガーに関して、球形状のジムボールが簡単で便利に保管できるようにするとともに、組立式として嵩を減らすことができて、配送時運搬の容易性を与えることを目的にする、底面が底に接した支持部と、一定の長さで前記支持部から垂直方向に設けられたフレームと、前記フレームの側面に固定されてジムボールを据えることができるようにした据置台との結合からなるジムボールハンガーを提供するものである。
【０００８】
しかし、このようなジムボールと、ジムボールを保管するためには、以下の問題がある。
【０００９】
（１）一般的にジムボールは球形状になっているので、転がりやすいように製作し、ジムボールを使用する人がジムボールが動かないようにして、運動効果を高めることができるように製作したものである。  
これは運動効果を得るのは効果的であるが、運動を終えてからジムボールを保管することは難しいという問題点がある。
【００１０】
（２）つまり、運動を終えた後、ジムボールをそのまま置く場合、球形状に復元して底で転がりまわる可能性があり、ジムボールを片つけるために他のものの上に載せて置く場合、球形状のジムボールが転がり落ちる恐れがある。
【００１１】
（３）以上のように、ジムボールが転がって落ちることによって、ジムボールとぶつかるものが破損する恐れがあり、ジムボールが乳幼児や老若者に衝撃を加える場合、傷をつける危険も含んでいる。
【００１２】
（４）ここに、ジムボールが転がらないように製作することもあるが、これは製作し難しいという問題がある。
【００１３】
（５）また、上述の問題点を解決するために、ジムボールが保管できるハンガーに関する技術が開示されているが、これは別途にハンガーを購入して部屋などに装着して使用する必要があるため、使用する煩雑さがあるという問題がある。
【００１４】
（６）そして、上記のようにハンガーを用いる際において、ジムボールが複数個である場合、保管スペースを節約して有効に保管できるが、ジムボールが１つである場合、ハンガーが占めるスペースが広いため、スペースの活用度が低いという問題がある。
【００１５】
（７）なお、ハンガーは家の中などに固定してジムボールを保管する時には便利であるが、ジムボールを持ち運んだり、別の場所に移して使用する時には不便であるという問題がある。
【発明の概要】
【発明が解決しようとする課題】
【００１６】
本発明は上述した問題点を考慮したもので、ジムボールが保管できるようにケースを構成し、特に前記ケースにウェイトを備えてジムボールを保管する時に転がらないようにして、希望する場所に安全で便利に保管できるだけてなく、ジムボールが転がり落ちることによって発生する可能性のある安全事故を事前に防止し得るようにしたジムボールケースを提供することを目的にする。
【００１７】
特に、本発明は、前記ケースを構成するボディーにウェイトが脱着できるように構成されているので、前記ケースを洗濯する時やジムボールを持ち運ぶ時には、ボディーからウェイトを分離できるようにすることで、便利で安全に使用して保管することができるようにしたジムボールケースを提供することを他の目的とする。
【００１８】
また、本発明は、上記ウェイトを、ベルクロ（登録商標）やジッパー、そしてスナップボタン等を利用して、ボディーの中で脱着できるように構成しているので、ケースにジムボールを入れて持ち運ぶ時にも、ウェイトが他の物に掛かって任意に外されることや忘れることなく、便利に使えるようにしたジムボールケースを提供することをさらに他の目的とする。
【課題を解決するための手段】
【００１９】
上記目的を達成するための本発明によるジムボールケースは、ジムボール(B)が収容できるボディ(100)を含め、上記ボディー(100)には、ジムボールが転がらないようにするウェイト(110)と、上記ボディー(100)にジムボール(B)が出し入れできる開口手段(120)及び、上記ボディー(100)を安定的に取りあげたり掛けたりすることができるように、上記ボディー(100)の中央部と頂部の間に備えられた取っ手(130)とを含むことを特徴とする。
【００２０】
特に、上記ウェイト(110)は、ボディー(100)に一体で返し縫いされている袋の中に挿入して、一体で設けられたことを特徴とする。  
また、上記ウェイト(100)は上記ボディー(100)にジッパー、ベルクロ（登録商標）、或はスナップボタンによって脱着することができるように構成されていることを特徴とする。  
そして、上記ウェイト(110)は上記ボディー(100)の内面に装着されていることを特徴とする。
【００２１】
また、上記開口手段(120)はジッパー、ベルクロ（登録商標）、或はスナップボタンであることを特徴とする。
【００２２】
なお、上記ウェイト(110)には、上記ボディー(100)の外部に露出されるように、少なくとも２個の運搬用通し輪(113)が予め決めた間隔で形成されていることを特徴とする。
【発明の効果】
【００２３】
本発明に係るジムボールケースには、以下のような効果がある。
【００２４】
（１）転がりやすいジムボールを、ウェイトが備えられているジムボールケースに保管するので、ジムボールが転がることが防止できる。
【００２５】
（２）ここに、ジムボールが収納されているジムボールケースを他の物の上に載せて置いても、ジムボールが転がり落ちることや、落ちながらその周辺の人に傷をつけることや物が破損することを防止することができる。
【００２６】
（３）ウェイトをボディーに脱着することができるように構成されているので、場合によってボディーからウェイトを分離して、ジムボールが収納されているまま、便利に持ち運ぶことや洗濯すること等ができて、使用やメンテナンスが便利である。
【００２７】
（４）この際、ウェイトはジッパーやベルクロ（登録商標）、或はスナップボタン等によってボディーに脱着することができるように構成されているので、誰も簡単で速やかにウェイトをボディーに装着して使用したり、場合によって分離して便利に使うことができる。
【００２８】
（５）さらに、ウェイトは、ジムボールを収納するボディーの中に脱着することができるように構成されるので、ジムボールケースを持って移動する間に、ウェイトが周辺の物と接触したり干渉されたりして、ボディーから分離されることや抜けることが防止でき、安全にジムボールを保管するとともに、ウェイトを通して転がらないように保管できて便利である。
【００２９】
（６）また、ボディーには取っ手が取付いているので、ジムボールケースに収納されたジムボールを、この取っ手によって簡単で速やかに持ち運べるだけではなく、取っ手をかけて使用することもできるので、容易に保管できてスペースの活用度を高めることができる。
【００３０】
（７）本発明に係るジムボールケースは、使用しない時には畳んで保管するので、ジムボールケースの占めるスペースを節約することができる。
【００３１】
（８）一方、ウェイトにはボディーの外部に露出されるように運搬用通し輪が設けられているので、前記運搬用通し輪に運動用バンド等を通して、ジムボールをケースに保管する時や持ち運ぶ途中も運動効果を高めることができる。
【図面の簡単な説明】
【００３２】
【図１】図１は本発明に係るウェイトをボディーに一体で固定した一実施例を示す斜視図である。
【図２】図２は本発明に係るウェイトをボディーに一体で固定した一実施例を示す正面図である。
【図３】図３は本発明に係るウェイトをボディーにジッパーで脱着できるように構成した一実施例を示す斜視図である。
【図４】図４は本発明に係るウェイトをボディーにベルクロ（登録商標）で脱着できるように構成した一実施例を示す斜視図である。
【図５】図５は本発明に係るウェイトに２個の運搬用通し輪を追加して設けた一実施例を示す正面図である。
【発明を実施するための形態】
【００３３】
以下、添付された図面に基づいて、本発明の好ましい実施例をさらに詳しく説明すると、次のようである。  
これに先だって、本明細書及び請求範囲に使用されている用語や単語は、通常的又は辞典的の意味に限定して解釈されてはいけないものであり、発明者は自分の発明を最高の方法で説明するために、用語の概念を適切に定義することができるという原則に従って、本発明の技術的思想に符合する意味と概念によって解釈される必要がある。
【００３４】
したがって、本明細書に記載された実施例と図面に示した構成は、本発明の最も好ましい一実施例に過ぎないものであり、本発明の全ての技術的思想を代弁するものではないので、本発明出願視点でこれらが代替できる多様な均等物と変形例のある可能性を理解する必要がある。
【００３５】
（構成）
本発明に係るジムボールケースは、図１乃至図４に示したように、ジムボール(B)を収容することができるボディー(100)を含めるものである。
【００３６】
特に、上記ボディー(100)には、ウェイト(110)を構成して、ジムボール(B)を収納しても、収納されたジムボールが転がらないようにすることで、ジムボール(B)が転がり落ちることにより、周辺の物を破損することや周りの人達に害を及ばすことが防止できるようにしたものである。
【００３７】
また、上記ウェイト(110)は、ボディー(100)に脱着できるように構成して、ジムボール(B)が収納されているジムボールケースを持ち運ぶときや洗濯などをするときに、ウェイト(110)やボディー(100)が破損しないように持ち運んだり洗濯することができるようにしたものである。
【００３８】
以下、上述の構成に関してさらに詳しく説明すると、次のようである。ここで、ジムボール(B)は、通常的に空気を注入してストレッチングやヨガ等をするために用いる通常の技術で製作したものをいう。
【００３９】
ボディー(100)は、図1及び図2に示したように、ジムボール(B)を内部に収納することができるサイズで製作する。このようなボディー(100)は、織物や合成樹脂などの多様な材質によって製作することができるし、使用しない時には畳んで保管できるように製作することが好ましい。
【００４０】
また、上記ボディー(100)には、図1及び図2に示したようにウェイト(110)を構成する。ウェイト(110)は、上記ボディー(100)の中にジムボール(B)を収納したとき、このジムボール(B)が転がらないようにする機能を担当するものである。このようなウェイト(110)はボディー(100)の外面に設けることもできるし、その内面に設けることもできるものである。
【００４１】
本発明の好ましい実施例において、上記ウェイト(110)は、ボディー(100)の中に構成して外部に露出されないようにしながら、他の構成やケースの周辺にある物に引っかからないように構成することが好ましい。
【００４２】
そして、本発明の好ましい実施例において、上記ウェイト(110)は、ボディー(100)に袋の形態で返し縫いした収納スペースの中に入れて一体で設けることもできるし、ボディー(100)から分離できるように構成することもできるものである。  
この際、最も好ましくは分離型に構成することで、本発明に係るジムボールケースを洗濯する時やジムボール(B)を入れて持ち運ぶ時に、ウェイト(110)を分離して便利に利用できるように構成することが好ましい。
【００４３】
ここで、上記ボディー(100)からウェイト(110)を分離できるようにする構成としては、簡単で便利に使用可能であればどんなものでも使えるが、例えば、図3に示したジッパー(111)や図4に示したベルクロ（登録商標）(112)、或はスナップボタンを挙げることができる。  
ジッパー(111)は、縁部が歯(Tooth)になっている２枚のテープを、歯がスライディング方式でかみ合うようにして閉じさせる通常の技術を、ベルクロ（登録商標）(112)は、マジックテープ（登録商標）や面ファスナーと広く知られていて、一方に鉤が、他方に引掛り輪が形成されていて、相互に貼り付けたり剥がしたりすることができる通常の技術で製作したものを、スナップボタンは、ホックとも呼ばれていて、雄スナップと雌スナップによって構成され、これらを互いに向かい合わせにして押すと、ぱちんと留める通常の固定装置を其々いうものである。
【００４４】
開口手段(120)は、図1乃至図4に示したように、ボディー(100)に設けて、その中にジムボール(B)を出し入れできるように形成するものである。  
このような開口手段(120)は、ボディー(100)からジムボール(B)を出せる構造であればどんなものでも使うことができるが、例えば、ジッパー、ベルクロ（登録商標）、或はスナップボタンを使えるものである。  
上記構成は、上述のウェイト(110)を固定する時に用いるもので、先に説明したのでその詳しい説明は省略することにする。
【００４５】
本発明の好ましい実施例において、上記開口手段(120)は、ジムボール(B)をボディー(100)の中に入れられる位置なら、どこに形成されても関係ないものであるが、上述のウェイト(110)と向き合う位置に構成することが望ましい。  
これは、開口手段(120)を開けてジムボール(B)を容易にボディー(100)の中に入れられるようにするためである。
【００４６】
取っ手(130)は、図1乃至図4に示したように、ボディー(100)に設けて、ジムボールケースを取って持ち運べるように構成するものである。  
特に、上記取っ手(130)はボディー(100)の中央部と頂部の間に位置させて輪の形態で構成することによって、取っ手の機能以外には、場合によって取っ手(130)をどこかに掛けることで、ジムボールケースを掛けて保管できるように構成することが望ましい。
【００４７】
一方、本発明に係るジムボールケースは、図５に示したように、ウェイト(110)に少なくとも２個の運搬用通し輪(113)をさらに追加して構成することが望ましい。  
この際、運搬用通し輪(113)は織物のように畳みやすい材質で製作されることが望ましく、ボディー(100)の外部へ露出されるように構成することが望ましいものである。
【００４８】
上記運搬用通し輪(113)は、運動する時に使用するバンド等を通して、ジムボールをジムボールケースに入れた状態においてもバンドを利用してストレッチング等の運動をすることができるようにするためである。
【００４９】
ここに、上記運搬用通し輪(113)は、運動者が片手に各々１つずつ取って使えるように、少なくとも２個が設けることが望ましい。  
勿論、この運搬用通し輪(113)は複数個を設けて、運動者が他の位置に設けられている運搬用通し輪にバンドを通して使用したり、１つのバンドを複数個の運搬用通し輪に通してバンドの長さを短く調節するなど、様々な目的で使えるものである。
【００５０】
また、上記運搬用通し輪(113)は、予め決めた間隔、最も好ましくは等間隔で設けることで、バンドなどを用いる時に同じ荷重が加えることができるように構成されることが望ましい。
【００５１】
以上のように、本発明は、ジムボールが保管できるケースにウェイトを構成するので、ジムボールを安全で便利に保管して、いつでも出して便利に使うことができるし、ジムボールを便利で用意に持ち運べるだけではなく、ジムボールケースを便利に洗濯して使えるようにしたものである。
【図１】
2020062461.tif 000003
【図２】
2020062461.tif 000004
【図３】
2020062461.tif 000005
【図４】
2020062461.tif 000006
【図５】
2020062461.tif 000007
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
ジムボール(B)が収容できるボディー(100)を含め、
上記ボディー(100)には、
ジムボール(B)が転がらないようにするウェイト(110)と、
上記ボディー(100)にジムボール(B)が出し入れできる開口手段(120)及び、上記ボディー(100)を安定的に取りあげることや掛けることができるように、上記ボディー(100)の中央部と頂部の間に突出されて起立維持するように備えられた取っ手(130)とを含み、
上記ウェイト(110)は、上記ボディー(100)の外面にジッパーを用いて脱着できるように構成し、
上記ウェイト(110)には、上記ボディーの外部へ露出されるように、少なくとも２個の運搬用通し輪(113)が予め決められた間隔で設けられ、
上記開口手段(120)は、ジッパーであって、
上記開口手段(120)はウェイト(110)と接する位置から上部へ延長されるように構成されたことを特徴とする
ジムボールケース。
【手続補正２】
【補正対象書類名】明細書
【補正対象項目名】全文
【補正方法】変更
【補正の内容】
【発明の詳細な説明】
【技術分野】
【０００１】
本発明はジムボールケースに関して、さらに詳しくはケースにウェイトを構成してその中にジムボールを入れた際に、ジムボールが転がったり任意に動かないようにして、容易に保管して便利に使用できるようにしたものである。
【背景技術】
【０００２】
ジムボール(GYM BALL)は、空気で満たされているボールの弾性を利用して、体のバランスを取りながらストレッチングやヨガの用途などで使う運動器具の１つで、ボールが転からないようにしながら体のバランスと重心を取る必要があるので運動量が多く、筋力をつけることに役に立つものである。  
このようなジムボールは、運動方法が簡単だけではなく姿勢矯正にも役にたつので、筋力運動と柔軟性を養うことにも効果がある。  
以下の特許文献１乃至４には、このようなジムボールと、ジムボールを容易に保管して使用できるようにする技術が開示されている。
【先行技術文献】
【特許文献】
【０００３】
【特許文献１】韓国登録実用第０４６９１５９号
【０００４】
一般のジムボールは球形状になっているので、その上に座ったり寝たりするなどの動作が素人には簡単ではないことであるので、別途の専門的な講義を通じてのみジムボールを使用するしかないという問題がある。  
特に、女性や老若者など筋力の弱い人達には、一人で自由に既存のジムボールを扱うというのが大変である。  
即ち、従来のジムボールは球形状になっているので、適切な力や姿勢でジムボールを制御しないと、ジムボールが底で制御できないように滑ってしまって、運動者の負傷をもたらす原因になるという問題もある。  
このような問題点を解決するために、半球形状の上部ジムボール部と半球形状の下部ジムボール部を、突出部を持つオーリング形状の連結部で連結し、下部ジムボール部は空気の流出入によってその形状が半球形状や平坦形状に変わることができるようにしたものである。
【０００５】
（特許文献２）  韓国公開特許第１０−２０１４−００２０１７３号
小児やお年寄りのように重心を取りにくい集団の使用者が運動する際に、滑ったり転んだりして怪我をすることを防ぐために製造したもので、その使用者が運動を自由にして健康を増進させることができるようにしたジムボールである。
【０００６】
（特許文献３）  韓国公開特許第１０−２０１４−００６０１４３号
楽に座って休めるロッキングチェアに関して、特にロッキングチェアの機能だけではなくジムボールの機能も備えており、必要時においてはジムボール運動を行うことができるように構成したものである。  
前記の目的を達成するために、本発明によるロッキングチェアは、着席者の背やお尻及び内股を支えられるように湾曲した支持フレームと、地面に接する部位は前後で揺れるように湾曲した受けフレームと、支持フレームが結合するように受けフレームに装着された結束具と、支持フレームの上面と底面に各々形成されて結束具に挿入される突起とを含めて、支持フレームの底面に形成された突起を結束具に結合して支持フレームが下向に凹に位置させることと、支持フレームの上面に形成された突起を結束具に結合して支持フレームが上向に凸に位置させることを技術的特徴としたものである。
【０００７】
（特許文献４）  韓国登録実用第０４７４２６３号
ジムボールハンガーに関して、球形状のジムボールが簡単で便利に保管できるようにするとともに、組立式として嵩を減らすことができて、配送時運搬の容易性を与えることを目的にする、底面が底に接した支持部と、一定の長さで前記支持部から垂直方向に設けられたフレームと、前記フレームの側面に固定されてジムボールを据えることができるようにした据置台との結合からなるジムボールハンガーを提供するものである。
【０００８】
しかし、このようなジムボールと、ジムボールを保管するためには、以下の問題がある。
【０００９】
（１）一般的にジムボールは球形状になっているので、転がりやすいように製作し、ジムボールを使用する人がジムボールが動かないようにして、運動効果を高めることができるように製作したものである。  
これは運動効果を得るのは効果的であるが、運動を終えてからジムボールを保管することは難しいという問題点がある。
【００１０】
（２）つまり、運動を終えた後、ジムボールをそのまま置く場合、球形状に復元して底で転がりまわる可能性があり、ジムボールを片つけるために他のものの上に載せて置く場合、球形状のジムボールが転がり落ちる恐れがある。
【００１１】
（３）以上のように、ジムボールが転がって落ちることによって、ジムボールとぶつかるものが破損する恐れがあり、ジムボールが乳幼児や老若者に衝撃を加える場合、傷をつける危険も含んでいる。
【００１２】
（４）ここに、ジムボールが転がらないように製作することもあるが、これは製作し難しいという問題がある。
【００１３】
（５）また、上述の問題点を解決するために、ジムボールが保管できるハンガーに関する技術が開示されているが、これは別途にハンガーを購入して部屋などに装着して使用する必要があるため、使用する煩雑さがあるという問題がある。
【００１４】
（６）そして、上記のようにハンガーを用いる際において、ジムボールが複数個である場合、保管スペースを節約して有効に保管できるが、ジムボールが１つである場合、ハンガーが占めるスペースが広いため、スペースの活用度が低いという問題がある。
【００１５】
（７）なお、ハンガーは家の中などに固定してジムボールを保管する時には便利であるが、ジムボールを持ち運んだり、別の場所に移して使用する時には不便であるという問題がある。
【発明の概要】
【発明が解決しようとする課題】
【００１６】
本発明は上述した問題点を考慮したもので、ジムボールが保管できるようにケースを構成し、特に前記ケースにウェイトを備えてジムボールを保管する時に転がらないようにして、希望する場所に安全で便利に保管できるだけてなく、ジムボールが転がり落ちることによって発生する可能性のある安全事故を事前に防止し得るようにしたジムボールケースを提供することを目的にする。
【００１７】
特に、本発明は、前記ケースを構成するボディーにウェイトが脱着できるように構成されているので、前記ケースを洗濯する時やジムボールを持ち運ぶ時には、ボディーからウェイトを分離できるようにすることで、便利で安全に使用して保管することができるようにしたジムボールケースを提供することを他の目的とする。
【００１８】
また、本発明は、上記ウェイトを、ベルクロ（登録商標）やジッパー、そしてスナップボタン等を利用して、ボディーの中で脱着できるように構成しているので、ケースにジムボールを入れて持ち運ぶ時にも、ウェイトが他の物に掛かって任意に外されることや忘れることなく、便利に使えるようにしたジムボールケースを提供することをさらに他の目的とする。
【課題を解決するための手段】
【００１９】
上記目的を達成するための本発明によるジムボールケースは、ジムボール(B)が収容できるボディ(100)を含め、上記ボディー(100)には、ジムボールが転がらないようにするウェイト(110)と、上記ボディー(100)にジムボール(B)が出し入れできる開口手段(120)及び、上記ボディー(100)を安定的に取りあげたり掛けたりすることができるように、上記ボディー(100)の中央部と頂部の間に突出されて起立維持するように備えられた取っ手(130)とを含むことを特徴とする。
【００２０】
特に、上記ウェイト(110)は、ボディー(100)に一体で返し縫いされている袋の中に挿入して、一体で設けられたことを特徴とする。  
また、上記ウェイト(100)は上記ボディー(100)にジッパー、ベルクロ（登録商標）、或はスナップボタンによって脱着することができるように構成されていることを特徴とする。  
そして、上記ウェイト(110)は上記ボディー(100)の内面に装着されていることを特徴とする。
【００２１】
また、上記開口手段(120)はジッパー、ベルクロ（登録商標）、或はスナップボタンであることを特徴とする。
【００２２】
なお、上記ウェイト(110)には、上記ボディー(100)の外部に露出されるように、少なくとも２個の運搬用通し輪(113)が予め決めた間隔で形成されていることを特徴とする。
【発明の効果】
【００２３】
本発明に係るジムボールケースには、以下のような効果がある。
【００２４】
（１）転がりやすいジムボールを、ウェイトが備えられているジムボールケースに保管するので、ジムボールが転がることが防止できる。
【００２５】
（２）ここに、ジムボールが収納されているジムボールケースを他の物の上に載せて置いても、ジムボールが転がり落ちることや、落ちながらその周辺の人に傷をつけることや物が破損することを防止することができる。
【００２６】
（３）ウェイトをボディーに脱着することができるように構成されているので、場合によってボディーからウェイトを分離して、ジムボールが収納されているまま、便利に持ち運ぶことや洗濯すること等ができて、使用やメンテナンスが便利である。
【００２７】
（４）この際、ウェイトはジッパーやベルクロ（登録商標）、或はスナップボタン等によってボディーに脱着することができるように構成されているので、誰も簡単で速やかにウェイトをボディーに装着して使用したり、場合によって分離して便利に使うことができる。
【００２８】
（５）さらに、ウェイトは、ジムボールを収納するボディーの中に脱着することができるように構成されるので、ジムボールケースを持って移動する間に、ウェイトが周辺の物と接触したり干渉されたりして、ボディーから分離されることや抜けることが防止でき、安全にジムボールを保管するとともに、ウェイトを通して転がらないように保管できて便利である。
【００２９】
（６）また、ボディーには取っ手が取付いているので、ジムボールケースに収納されたジムボールを、この取っ手によって簡単で速やかに持ち運べるだけではなく、取っ手をかけて使用することもできるので、容易に保管できてスペースの活用度を高めることができる。
【００３０】
（７）本発明に係るジムボールケースは、使用しない時には畳んで保管するので、ジムボールケースの占めるスペースを節約することができる。
【００３１】
（８）一方、ウェイトにはボディーの外部に露出されるように運搬用通し輪が設けられているので、前記運搬用通し輪に運動用バンド等を通して、ジムボールをケースに保管する時や持ち運ぶ途中も運動効果を高めることができる。
【図面の簡単な説明】
【００３２】
【図１】図１は本発明に係るウェイトをボディーに一体で固定した一実施例を示す斜視図である。
【図２】図２は本発明に係るウェイトをボディーに一体で固定した一実施例を示す正面図である。
【図３】図３は本発明に係るウェイトをボディーにジッパーで脱着できるように構成した一実施例を示す斜視図である。
【図４】図４は本発明に係るウェイトをボディーにベルクロ（登録商標）で脱着できるように構成した一実施例を示す斜視図である。
【図５】図５は本発明に係るウェイトに２個の運搬用通し輪を追加して設けた一実施例を示す正面図である。
【発明を実施するための形態】
【００３３】
以下、添付された図面に基づいて、本発明の好ましい実施例をさらに詳しく説明すると、次のようである。  
これに先だって、本明細書及び請求範囲に使用されている用語や単語は、通常的又は辞典的の意味に限定して解釈されてはいけないものであり、発明者は自分の発明を最高の方法で説明するために、用語の概念を適切に定義することができるという原則に従って、本発明の技術的思想に符合する意味と概念によって解釈される必要がある。
【００３４】
したがって、本明細書に記載された実施例と図面に示した構成は、本発明の最も好ましい一実施例に過ぎないものであり、本発明の全ての技術的思想を代弁するものではないので、本発明出願視点でこれらが代替できる多様な均等物と変形例のある可能性を理解する必要がある。
【００３５】
（構成）
本発明に係るジムボールケースは、図１乃至図４に示したように、ジムボール(B)を収容することができるボディー(100)を含めるものである。
【００３６】
特に、上記ボディー(100)には、ウェイト(110)を構成して、ジムボール(B)を収納しても、収納されたジムボールが転がらないようにすることで、ジムボール(B)が転がり落ちることにより、周辺の物を破損することや周りの人達に害を及ばすことが防止できるようにしたものである。
【００３７】
また、上記ウェイト(110)は、ボディー(100)に脱着できるように構成して、ジムボール(B)が収納されているジムボールケースを持ち運ぶときや洗濯などをするときに、ウェイト(110)やボディー(100)が破損しないように持ち運んだり洗濯することができるようにしたものである。
【００３８】
以下、上述の構成に関してさらに詳しく説明すると、次のようである。ここで、ジムボール(B)は、通常的に空気を注入してストレッチングやヨガ等をするために用いる通常の技術で製作したものをいう。
【００３９】
ボディー(100)は、図1及び図2に示したように、ジムボール(B)を内部に収納することができるサイズで製作する。このようなボディー(100)は、織物や合成樹脂などの多様な材質によって製作することができるし、使用しない時には畳んで保管できるように製作することが好ましい。
【００４０】
また、上記ボディー(100)には、図1及び図2に示したようにウェイト(110)を構成する。ウェイト(110)は、上記ボディー(100)の中にジムボール(B)を収納したとき、このジムボール(B)が転がらないようにする機能を担当するものである。このようなウェイト(110)はボディー(100)の外面に設けることもできるし、その内面に設けることもできるものである。
【００４１】
本発明の好ましい実施例において、上記ウェイト(110)は、ボディー(100)の中に構成して外部に露出されないようにしながら、他の構成やケースの周辺にある物に引っかからないように構成することが好ましい。
【００４２】
そして、本発明の好ましい実施例において、上記ウェイト(110)は、ボディー(100)に袋の形態で返し縫いした収納スペースの中に入れて一体で設けることもできるし、ボディー(100)から分離できるように構成することもできるものである。  
この際、最も好ましくは分離型に構成することで、本発明に係るジムボールケースを洗濯する時やジムボール(B)を入れて持ち運ぶ時に、ウェイト(110)を分離して便利に利用できるように構成することが好ましい。
【００４３】
ここで、上記ボディー(100)からウェイト(110)を分離できるようにする構成としては、簡単で便利に使用可能であればどんなものでも使えるが、例えば、図3に示したジッパー(111)や図4に示したベルクロ（登録商標）(112)、或はスナップボタンを挙げることができる。  
ジッパー(111)は、縁部が歯(Tooth)になっている２枚のテープを、歯がスライディング方式でかみ合うようにして閉じさせる通常の技術を、ベルクロ（登録商標）(112)は、マジックテープ（登録商標）や面ファスナーと広く知られていて、一方に鉤が、他方に引掛り輪が形成されていて、相互に貼り付けたり剥がしたりすることができる通常の技術で製作したものを、スナップボタンは、ホックとも呼ばれていて、雄スナップと雌スナップによって構成され、これらを互いに向かい合わせにして押すと、ぱちんと留める通常の固定装置を其々いうものである。
【００４４】
開口手段(120)は、図1乃至図4に示したように、ボディー(100)に設けて、その中にジムボール(B)を出し入れできるように形成するものである。  
このような開口手段(120)は、ボディー(100)からジムボール(B)を出せる構造であればどんなものでも使うことができるが、例えば、ジッパー、ベルクロ（登録商標）、或はスナップボタンを使えるものである。  
上記構成は、上述のウェイト(110)を固定する時に用いるもので、先に説明したのでその詳しい説明は省略することにする。
【００４５】
本発明の好ましい実施例において、上記開口手段(120)は、ジムボール(B)をボディー(100)の中に入れられる位置なら、どこに形成されても関係ないものであるが、上述のウェイト(110)と向き合う位置に構成することが望ましい。  
これは、開口手段(120)を開けてジムボール(B)を容易にボディー(100)の中に入れられるようにするためである。
【００４６】
取っ手(130)は、図1乃至図4に示したように、ボディー(100)に設けて、ジムボールケースを取って持ち運べるように構成するものである。  
特に、上記取っ手(130)はボディー(100)の中央部と頂部の間に突出されて起立維持するように輪の形態で構成することによって、取っ手の機能以外には、場合によって取っ手(130)をどこかに掛けることで、ジムボールケースを掛けて保管できるように構成することが望ましい。
【００４７】
一方、本発明に係るジムボールケースは、図５に示したように、ウェイト(110)に少なくとも２個の運搬用通し輪(113)をさらに追加して構成することが望ましい。  
この際、運搬用通し輪(113)は織物のように畳みやすい材質で製作されることが望ましく、ボディー(100)の外部へ露出されるように構成することが望ましいものである。
【００４８】
上記運搬用通し輪(113)は、運動する時に使用するバンド等を通して、ジムボールをジムボールケースに入れた状態においてもバンドを利用してストレッチング等の運動をすることができるようにするためである。
【００４９】
ここに、上記運搬用通し輪(113)は、運動者が片手に各々１つずつ取って使えるように、少なくとも２個が設けることが望ましい。  
勿論、この運搬用通し輪(113)は複数個を設けて、運動者が他の位置に設けられている運搬用通し輪にバンドを通して使用したり、１つのバンドを複数個の運搬用通し輪に通してバンドの長さを短く調節するなど、様々な目的で使えるものである。
【００５０】
また、上記運搬用通し輪(113)は、予め決めた間隔、最も好ましくは等間隔で設けることで、バンドなどを用いる時に同じ荷重が加えることができるように構成されることが望ましい。
【００５１】
以上のように、本発明は、ジムボールが保管できるケースにウェイトを構成するので、ジムボールを安全で便利に保管して、いつでも出して便利に使うことができるし、ジムボールを便利で用意に持ち運べるだけではなく、ジムボールケースを便利に洗濯して使えるようにしたものである。